(57)【特許請求の範囲】
【請求項１】
左右端に留具を有する第２袋と、
前記第２袋の下部で、前記第２袋の表面に設けられた第４袋と、
前記左右端の留具間を連結する連結部と、を有し、
前記留具が上下に開閉可能であり、
前記左右端の留具の下部のみが前記第４袋により覆われ、前記連結部により、前記第４袋の上端までのみ、前記左右端の留具の開閉が可能である袋物。
【請求項２】
左右端に留具を有する第２袋と、前記第２袋が下部に設けられた基台と、前記基台が挿入された第４袋と、からなり、
前記留具が上下に開閉可能であり、
さらに、前記左右端の留具間を連結する連結部と、を有する袋物。
【請求項３】
前記留具が前記第４袋の位置まで形成されない、請求項２記載の袋物。
【請求項４】
前記第４袋の内側で、前記基台の前記第２袋が設けられた面と対向する面に設けられた第５袋を有する請求項２記載の袋物。
【請求項５】
前記第２袋と前記第４袋との間に貫通穴を設けた請求項１から４のいずれか１項に記載の袋物。
【請求項６】
前記第２袋と前記第４袋との間を網目状にした請求項１から５のいずれか１項に記載の袋物。
【請求項７】
前記第２袋の入り口を覆う蓋を有する請求項１から６のいずれか１項に記載の袋物。
【請求項８】
前記第２袋の横に設けられた第１袋を有する請求項１から７のいずれか１項に記載の袋物。
【発明の詳細な説明】
【技術分野】
【０００１】
本発明は、腰に装着しやすい袋物に関する。
【背景技術】
【０００２】
図５は、従来の袋物１００を示す。上部に留具１１５があり、前部に袋１１１がいくつかある。袋１１１の１つには、留具もある。また、背面には、ズボンなどに、袋物１００を固定する保持部１３０等があるが、しかし、この従来の袋物１００では、留具１１５が横方向だけで、横方向への開示があるが、ポケット感覚で上下に、片手で開閉するものではない。
【先行技術文献】
【特許文献】
【０００３】
【特許文献１】実開昭６３−１１５３２７号公報
【発明の概要】
【発明が解決しようとする課題】
【０００４】
着衣にポケットが無い場合でも、片手開閉でき、ポケット感覚で携帯電話等の出し入れが可能な袋物であって、年を重ねて、忘れ物等の、ポケットに入りきれないストレスを、サポートしてくれる、腰に装着しやすい袋物を実現すること。
【課題を解決するための手段】
【０００５】
上記課題を解決するため、左右端に留具を有する第２袋と、前記第２袋の下部で、前記第２袋の表面に設けられた第４袋と、前記左右端の留具間を連結する連結部と、を有し、前記留具が上下に開閉可能であり、前記左右端の留具の下部のみが前記第４袋により覆われ、前記連結部により、前記第４袋の上端までのみ、前記左右端の留具の開閉が可能である袋物を用いる。
また、左右端に留具を有する第２袋と、前記第２袋が下部に設けられた基台と、前記基台が挿入された第４袋と、からなり、前記留具が上下に開閉可能であり、さらに、前記左右端の留具間を連結する連結部と、を有する袋物を用いる。
【発明の効果】
【０００６】
本願発明では、２つの留具間を連結部で結び、その連結部を上下に、作動させることで留具間の袋は、開放されるが全開することなく携帯電話など、片手で取り出せて、収納しやすくなった。
袋物内の貫通穴を通して、袋物内の物を、必要のループ長さで連結しておくと、置き忘れ等が防げる。
貫通穴により、物を連結することで、紛失することなく物忘れ等も軽減できて、ストレスをサポートする、腰に装着しやすい袋物である。
【図面の簡単な説明】
【０００７】
【図１】（ａ）実施の形態１の袋物の斜視図、（ｂ）（ａ）の袋物の側面図、（ｃ）袋物内部の袋を示す図
【図２】（ａ）実施の形態２の袋物の斜視図、（ｂ）（ａ）の袋物の側面図、（ｃ）実施の形態２の袋物の変形例の側面図
【図３】実施の形態１の袋物の使用例を説明する図
【図４】実施の形態１の袋物の変形例を説明する図
【図５】従来の袋物の斜視図
【発明を実施するための形態】
【０００８】
（実施の形態１）
＜構成＞
図１に実施の形態１の袋物１０を示す。腰に装着しやすい袋物１０は、携帯電話などの出し入れが、片手でも開閉でき、ヘッドホーン等の収納や・鍵・ライト・カード・切符・災害時の連絡先・メモ・ペン・笛・通帳等・収納可能で、忘れ物等をサポートする、ストレスを軽減できて、年を重ねても便利な袋物である。
袋物１０は、第１袋１１、第２袋１２、第３袋１３、第４袋１４、第１留具１５、第２留具１６、蓋３１、基台１０、保持部３０と、を含む。
【０００９】
第１袋１１は、袋物１０の前面の左に設置され、ペンやタッチペンなど小物の等の収納部である。
第２袋１２は、袋物１０の前面の中央に設置され、その両脇に、第１留具１５、第２留具１６を有する。平行に設けるのがよい。留具としてはファスナーがよい。
両留具は、腰に装着したときのポケットの様に、上下方向に開閉できる。
【００１０】
両留具間を連結する連結部１７があり、その連結部１７を下方に下げることで、２つの留具が同時に開き、第２袋１２が簡単に開くことができる。
連結部１７は、紐、鎖などが可能である。連結部１７を下方に下げると第４袋１４の上端まで開いて、全開しない。ストッパーにもなるが、第４袋１４の近郊、または、上部にファスナーの別の留具を設けてもよい。
第３袋１３は、袋物１０の前面の右に設置され、ペンやタッチペンなど小物をいれることもできて便利である。
【００１１】
第４袋１４は、少なくとも第２袋１２、第１留具１５、第２留具１６の前面に設けられている。
蓋３１は、少なくとも、第２袋１２の上部を覆うようなカバーである。
図１（ａ）では蓋３１をした状態である。
しかし、連結部１７が外にあらわれ、蓋３１をした状態で、第２袋１２を開けることができる。
基台９は、上記が設置される基板である。
基台９の前面に、第１袋１１、第２袋１２、第３袋１３があり、その上面に第４袋１４がある。基台９の裏面には保持部３０がある。
保持部３０は、袋物１０をベルトなどに固定する部分である。ベルトにこの袋物１０を装
着すると、ポケットのない着衣でも、ポケット感覚で使用できる。
腰部分以外に、着衣や使用者によって斜め肩掛け動作を要する場合等、紐状の物等がよい。
第４袋１４と第１袋１１との間に貫通穴２１（袋物１０内部）がある。
図では、第４袋１４と第１袋１１との間であるが、第４袋１４と第２袋１２、第３袋１３との間も連結できる。
【００１２】
＜動作と効果＞
連結部１７を片手で下方に下ろすと第1留め具１５と、第2留め具１６が開き第２袋１２がオープンする。
第２袋１２が開き、中のもの例えば携帯電話などが、片手で取り出せる。片手に障害があっても動作のしやすい側に装着できる。
連結部１７を上下に開閉できる。連結部１７は、蓋３１を下ろしていても（図１（ａ））、外部から、見えていて、蓋３１を開けなくとも手探りで下ろせる。またループの長さを変えてもよい。  
【００１３】
さらに、連結部１７の先の第１留具１５、第２留具１６は、第４袋１４の内側にあり、連結部１７は、第４袋１４の上辺まで開閉できる。少しの開閉で携帯などが取り出しやすく、収納しやすい。全開しないので、中のものが落ちない。
第２袋１２の袋の深さの半分より上に、第４袋１４の上部が位置くらいでもよい。第１留具１５が全開せず、第２袋１２の中のものが落ちない。ファスナーの留め具を設けることもできる。
【００１４】
蓋３１は、第１袋１１、第２袋１２、第３袋１３の上部を覆う。蓋３１をした状態で、手探りで連結部１７を、上下に引ける。
蓋３１をした状態で、第２袋１２のものは、連結部１７を開閉できるので、着信電話の時などに、１動作で取り出すことができる。
第１貫通穴２１を介して、第４袋１４と第１袋１１内の物同志が接続できる。例えば、携帯機器が充電切れの場合でも充電器との接続が袋物内で接続できる。
第４袋１４と第１袋１１との間の袋を図１（ｃ）のように、網目状にしてもよい。網目を通して袋内部で物同志を連結してもよい。また、網目で通らない連結部材を通過させる第１貫通穴２１を網目開口より広いスリットにして、貫通穴を設けるとよい。
これは、他の例も同様に適用できる。つまり、袋物１０の内側の袋部分の全部、一部に、上記
網目、スリット、貫通穴を設けることもできる。収納可能で、忘れ物をサポートする。また、年を重ねた人にも便利な袋物である。
【００１５】
（実施の形態２）
図２（ａ）、（ｂ）に実施の形態２の袋物１０を示す。図２（ａ）は、正面斜視図である。図２（ｂ）は側面図ある。
実施の形態１と差異がある部分のみを以下で説明する。それ以外は同じである。
【００１６】
実施の形態１と異なり第４袋１４に、基台９と第１袋１１とのセットされたものが挿入されている。つまり、第４袋１４を作製し、その中に基台９と第１袋１１を入れている。
実施の形態では、１つの例示している。よって、いろいろな変形が含まれる。例えば、１つの袋に複数の基台９を入れてもよい。
【００１７】
実施の形態１の袋に板状物体を差し込み固定してもよい。
【００１８】
第２貫通穴２２が、基台９に設けられ、第１袋１１と第４袋１４を繋いでいる。
【００１９】
仕切り３３を第４袋１４と第２袋１２の間に設けている。第４袋１４は大きいので、いくつかの部分の部屋に分けて物を入れることができる。
仕切り３３を仕切りとして使用せず大きな物、携帯端末などを入れることもできる。
薄地の素材で間仕切りを多用に設けることもできる。
【００２０】
留具として、面ファスナーなどを用いてもよい。図２（ｃ）は、図２（ｂ）の変形例である。
第４袋１４の基台９の裏面側を大きくし、袋物内、基台９の裏面に第５袋１５を設けている。この第５袋１５は外部から取り出しにくいので、大切なものを保持することができる。
災害時の連絡先、免許書、保険証、通帳など保管できる。第３貫通穴２３も設けている。
袋物１０の内の厚み方向の袋（第１袋１１、第５袋１５）を貫通する孔である。袋物１０内部の袋間をすべてつなぐと、袋物１０内の物間の接続ができる。
【００２１】
（使用例）
図３は、図２の袋物１０に小物を入れた時の使用例を示す。蓋３１を開けた状態を示す。図示の例示以外に、留具を設けて蓋を設けない場合がある。
第１袋１１にポインター３３等が入れられる。第２袋１２に携帯機器３４等を入れ、第３袋１３にペン３２等も入れられる。
【００２２】
第４袋１４に鍵４０を入れ、鍵４０のひもと貫通穴２１を介して笛等と繋げて使用すると、置き忘れをサポート。鍵４０とライトと繋げても見えにくい鍵穴もサポートできて便利である。
【００２３】
また、第４袋１４内で、充電器３７を入れている、貫通穴２１を介して、電源ケーブル３０を介して、充電済の充電器３７と携帯機器３４とを連結できる。袋物１０内部で充電を終えると鞄等に戻せば充電切れもサポートできる。外出先では重宝である。
なお、上記実施の形態では、袋物を腰に装着して、定位置に収納することで、着衣によって、鞄等に移動しても、収納の忘れ物をサポートしてくれる。また、鞄に固定することもできる。
【００２４】
図４は、実施の形態１の袋物の変形例を説明する図である。実施の形態１の図１（ａ）と異なる点を説明する。
蓋３１の代わり、第３留具４１を設けている。ボタン等でもよい。また、第１留具１５、第２留具１６の長さが短く、第４袋１４の手前で終わる。つまり、それぞれの留具を全開にしても別の袋に達しない構造である。
【００２５】
蓋３１が無い場合も、第３留具４１を外し、第１留具１５、第２留具１６を全開でき、第２袋１２を開放できる。中のものが取り出せる。なお、上記実施の形態、例示は、組み合わせることができる。
【産業上の利用可能性】
【００２６】
本願発明の袋物は、2本のファスナーを袋の両端に設けたことで着衣にポケットが無い場合でも、ポケット感覚で片手開閉できる、簡単に携帯電話等の取り出し、収納がしやすい。
年を重ねても、忘れ物をサポートしてくれる、腰に装着しやすい袋物である。
【符号の説明】
【００２７】
９  基台、１０  袋物、１１  第１袋、１２  第２袋、１３  第３袋、１４  第４袋、１５  第１留具、１６  第２留具、１７  連結部、２１  第１貫通穴、２２  第２貫通穴、２３  第３貫通穴、３０  保持部、３１  蓋、３２  ペン、３３  ポインター、３４  携帯機器、３８  連結ケーブル、３９  電源ケーブル、４０  鍵、４１  第３留具、１００  袋物、１１１  袋、１１５  留具
【要約】
【課題】  着衣にポケッが無い場合でも、片手開閉でき、ポケット感覚で携帯電話等の取り出し、収納が可能な袋物であって、
年を重ねて、忘れ物等の、ポケットに入りきれないストレスを、サポートしてくれる、腰に装着しやすい袋物を実現すること。
【解決手段】左右端に留具を有する第２袋と、前記第２袋の下部で、第２袋の上に設けられた第４袋と、前記左右端の留具間を連結する連結部と、を有する袋物を用いる。または、左右端に留具を有する第２袋と、前記第２袋が下部に設けられた基台と、前記基台が挿入された第４袋と、からなる袋物を用いる。
【選択図】図１【図１】
0005563711.tif 000002
【図２】
0005563711.tif 000003
【図３】
0005563711.tif 000004
【図４】
0005563711.tif 000005
【図５】
0005563711.tif 000006